(57)【要約】【課題】既存の映像表示装置を用いて立体映像を視聴できるようにする。【解決手段】インターレース方式に対応した映像表示装置に映像信号を出力する映像信号処理装置１００は、映像入力信号Ｓ＿ＩＮを、左眼用映像フレームに対応する左眼用映像信号Ｓ＿Ｌと、右眼用映像フレームに対応する右眼用映像信号Ｓ＿Ｒとに分離する映像信号分離部１２０と、映像信号分離部１２０により得られた左眼用映像信号Ｓ＿Ｌ及び右眼用映像信号Ｓ＿Ｒのそれぞれを、プログレッシブ方式からインターレース方式に変換する映像信号変換部１４０とを具備する。映像信号変換部１４０は、トップフィールド及びボトムフィールドのうち、一方のフィールドに対応させて左眼用映像信号Ｓ＿Ｌを変換し、且つ、他方のフィールドに対応させて右眼用映像信号Ｓ＿Ｒを変換する。【選択図】図２
2012100028.tif 000002
【特許請求の範囲】
【請求項１】
インターレース方式に対応した映像表示装置に映像信号を出力する映像信号処理装置であって、
左眼用映像フレーム及び右眼用映像フレームを並べて構成される映像フレームに対応する映像入力信号が入力される信号入力部と、
前記信号入力部により得られた前記映像入力信号を、前記左眼用映像フレームに対応する左眼用映像信号と、前記右眼用映像フレームに対応する右眼用映像信号とに分離する信号分離部と、
前記信号分離部により得られた前記左眼用映像信号及び前記右眼用映像信号のそれぞれを、プログレッシブ方式からインターレース方式に変換する映像信号変換部と、
前記映像信号変換部からの映像出力信号を前記映像表示装置に出力する映像信号出力部とを具備し、
前記映像信号変換部は、インターレース方式への変換時に、トップフィールド及びボトムフィールドのうち、一方のフィールドに対応させて前記左眼用映像信号を変換し、且つ他方のフィールドに対応させて前記右眼用映像信号を変換することを特徴とする映像信号処理装置。
【請求項２】
前記映像信号変換部は、前記信号分離部により得られた前記左眼用映像信号及び前記右眼用映像信号のそれぞれをインターレース方式に変換した上で合成し、所定のアナログテレビジョン放送規格に従った映像出力信号を出力することを特徴とする請求項１に記載の映像信号処理装置。
【請求項３】
トップフィールド区間及びボトムフィールド区間の切り替わりと同期して、シャッター眼鏡を制御するための制御信号を出力する制御信号出力部をさらに具備することを特徴とする請求項１又は２に記載の映像信号処理装置。
【請求項４】
デジタルテレビ放送波を受信して前記映像入力信号を出力する放送波受信部をさらに具備することを特徴とする請求項１〜３の何れか一項に記載の映像信号処理装置。
【請求項５】
インターレース方式に対応した映像表示装置に映像信号を出力するための映像信号処理方法であって、
左眼用映像フレーム及び右眼用映像フレームを並べて構成される映像フレームに対応する映像入力信号を、前記左眼用映像フレームに対応する左眼用映像信号と、前記右眼用映像フレームに対応する右眼用映像信号とに分離するステップと、
前記分離するステップで得られた前記左眼用映像信号及び前記右眼用映像信号のそれぞれを、プログレッシブ方式からインターレース方式に変換するステップと、
前記変換するステップで得られた映像信号を前記映像表示装置に出力するステップとを具備し、
前記変換するステップでは、トップフィールド及びボトムフィールドのうち、一方のフィールドに対応させて前記左眼用映像信号を変換し、且つ他方のフィールドに対応させて前記右眼用映像信号を変換することを特徴とする映像信号処理方法。
【請求項６】
前記変換するステップは、
インターレース方式に変換された左眼用映像信号及び右眼用映像信号のそれぞれに対応する映像信号を合成するステップと、
前記合成するステップで得られた映像信号から、所定のアナログテレビジョン放送規格に従った映像出力信号を生成するステップと
を具備することを特徴とする請求項５に記載の映像信号処理方法。
【請求項７】
トップフィールド区間及びボトムフィールド区間の切り替わりと同期して、シャッター眼鏡を制御するための制御信号を出力するステップをさらに具備することを特徴とする請求項５又は６に記載の映像信号処理方法。
【請求項８】
デジタルテレビ放送波を受信して前記映像入力信号を出力するステップをさらに具備することを特徴とする請求項５〜７の何れか一項に記載の映像信号処理方法。
【発明の詳細な説明】
【技術分野】
【０００１】
本発明は、立体映像視聴システムで用いられる映像信号処理装置及び映像信号処理方法に関する。
【背景技術】
【０００２】
近年、視聴者が立体映像を視聴できる立体映像視聴システムが注目されている。このような立体映像視聴システムでは、別々の角度で撮影して得られた左眼用映像フレーム及び右眼用映像フレームを並べて構成された映像フレームに対応する映像入力信号が映像表示装置に入力される（例えば特許文献１参照）。そして、映像表示装置は、当該映像入力信号に基づいて、左眼用映像フレーム及び右眼用映像フレームを交互に表示する。なお、１枚の映像フレーム内で左眼用映像フレーム及び右眼用映像フレームを左右に並べる方式は「サイド・バイ・サイド」と称され、上下に並べる方式は「トップ・アンド・ボトム」と称される。
【０００３】
視聴者は、例えば、左眼用映像フレーム及び右眼用映像フレームの切り替わりと同期して左右シャッターが開閉するシャッター眼鏡を使用して立体映像を視聴する。具体的には、シャッター眼鏡は、左眼用映像フレームが表示される際に左眼シャッターを開くとともに右眼シャッターを閉じ、右眼用映像フレームが表示される際に右眼シャッターを開くとともに左眼シャッターを閉じる。このように、立体映像視聴システムでは、左眼及び右眼のそれぞれで見る映像のずれ、すなわち「視差」を利用して、擬似的な立体映像を視聴可能にしている。
【先行技術文献】
【特許文献】
【０００４】
【特許文献１】特開２００４−８０７２７号公報
【発明の概要】
【発明が解決しようとする課題】
【０００５】
しかしながら、立体映像視聴システムでは、サイド・バイ・サイド又はトップ・アンド・ボトムの映像入力信号を処理可能な映像表示装置が必要となるため、アナログテレビ等の既存の映像表示装置を用いて立体映像を視聴できないという問題があった。
【０００６】
そこで、本発明は、既存の映像表示装置を用いて立体映像を視聴できるようにする映像信号処理装置及び映像信号処理方法を提供することを目的とする。
【課題を解決するための手段】
【０００７】
上述した課題を解決するために、本発明は以下のような特徴を有している。まず、本発明に係る映像表示装置の特徴は、インターレース方式に対応した映像表示装置（映像表示装置１０）に映像信号を出力する映像信号処理装置（映像信号処理装置１００）であって、左眼用映像フレーム（左眼用映像フレームＦ＿Ｌ）及び右眼用映像フレーム（右眼用映像フレームＦ＿Ｒ）を並べて構成される映像フレーム（映像フレームＦ＿ＩＮ）に対応する映像入力信号（映像入力信号Ｓ＿ＩＮ）が入力される信号入力部（映像信号入力部１１０）と、前記信号入力部により得られた前記映像入力信号を、前記左眼用映像フレームに対応する左眼用映像信号（左眼用映像信号Ｓ＿Ｌ）と、前記右眼用映像フレームに対応する右眼用映像信号（右眼用映像信号Ｓ＿Ｒ）とに分離する信号分離部（映像信号分離部１２０）と、前記信号分離部により得られた前記左眼用映像信号及び前記右眼用映像信号のそれぞれを、プログレッシブ方式からインターレース方式に変換する映像信号変換部（映像信号変換部１４０）と、前記映像信号変換部からの映像出力信号を前記映像表示装置に出力する映像信号出力部（映像信号出力部１４５）とを具備し、前記映像信号変換部は、インターレース方式への変換時に、トップフィールド及びボトムフィールドのうち、一方のフィールドに対応させて前記左眼用映像信号を変換し、且つ、他方のフィールドに対応させて前記右眼用映像信号を変換することを要旨とする。
【０００８】
このような特徴によれば、映像表示装置とは別体の映像信号処理装置において、映像入力信号を左眼用映像フレームに対応する左眼用映像信号と、右眼用映像フレームに対応する右眼用映像信号とに分離する。さらに、映像信号処理装置は、左眼用映像信号及び右眼用映像信号のそれぞれを、プログレッシブ方式からインターレース方式に変換して出力する。これにより、アナログテレビ等の既存の映像表示装置を用いて立体映像を視聴可能になる。
【０００９】
本発明に係る映像表示装置の他の特徴は、上記特徴に係る映像表示装置において、前記映像信号変換部は、前記信号分離部により得られた前記左眼用映像信号及び前記右眼用映像信号のそれぞれをインターレース方式に変換した上で合成し、所定のアナログテレビジョン放送規格（例えばＮＴＳＣ規格）に従った映像出力信号を出力することを要旨とする。
【００１０】
本発明に係る映像表示装置の他の特徴は、上記特徴に係る映像表示装置において、トップフィールド区間及びボトムフィールド区間の切り替わりと同期して、シャッター眼鏡を制御するための制御信号を出力する制御信号出力部（制御信号出力部１５０）をさらに具備することを要旨とする。
【００１１】
本発明に係る映像表示装置の他の特徴は、上記特徴に係る映像表示装置において、デジタルテレビ放送波を受信して前記映像入力信号を出力する放送波受信部をさらに具備することを要旨とする。
【００１２】
本発明に係る映像信号処理方法の特徴は、インターレース方式に対応した映像表示装置に映像信号を出力するための映像信号処理方法であって、左眼用映像フレーム及び右眼用映像フレームを並べて構成される映像フレームに対応する映像入力信号を、前記左眼用映像フレームに対応する左眼用映像信号と、前記右眼用映像フレームに対応する右眼用映像信号とに分離するステップ（ステップＳ２０）と、前記分離するステップで得られた前記左眼用映像信号及び前記右眼用映像信号のそれぞれを、プログレッシブ方式からインターレース方式に変換するステップ（ステップＳ４０）と、前記変換するステップで得られた映像信号を前記映像表示装置に出力するステップ（ステップＳ６０）とを具備し、前記変換するステップでは、トップフィールド及びボトムフィールドのうち、一方のフィールドに対応させて前記左眼用映像信号を変換し、且つ他方のフィールドに対応させて前記右眼用映像信号を変換することを要旨とする。
【００１３】
本発明に係る映像信号処理方法の他の特徴は、上記特徴に係る映像信号処理方法において、前記変換するステップは、インターレース方式に変換された左眼用映像信号及び右眼用映像信号のそれぞれに対応する映像信号を合成するステップと、前記合成するステップで得られた映像信号から、所定のアナログテレビジョン放送規格に従った映像出力信号を生成するステップとを具備することを要旨とする。
【００１４】
本発明に係る映像信号処理方法の他の特徴は、上記特徴に係る映像信号処理方法において、トップフィールド区間及びボトムフィールド区間の切り替わりと同期して、シャッター眼鏡を制御するための制御信号を出力するステップをさらに具備することを要旨とする。
【００１５】
本発明に係る映像信号処理方法の他の特徴は、上記特徴に係る映像信号処理方法において、デジタルテレビ放送波を受信して前記映像入力信号を出力するステップをさらに具備することを要旨とする。
【発明の効果】
【００１６】
本発明によれば、既存の映像表示装置を用いて立体映像を視聴できるようにする映像信号処理装置及び映像信号処理方法を提供できる。
【図面の簡単な説明】
【００１７】
【図１】本発明の実施形態に係る立体映像視聴システムの全体構成を示す図である。
【図２】本発明の実施形態に係る映像信号処理装置の構成を示すブロック図である。
【図３】本発明の実施形態に係る映像信号処理装置の動作を説明するための動作説明図（その１）である。
【図４】本発明の実施形態に係る映像信号処理装置の動作を説明するための動作説明図（その２）である。
【図５】本発明の実施形態に係る映像信号処理装置の動作を説明するための動作説明図（その３）である。
【図６】本発明の実施形態に係る映像信号処理方法を示すフローチャートである。
【図７】本発明の実施形態の変更例に係る映像信号処理装置の構成を示すブロック図である。
【発明を実施するための形態】
【００１８】
図面を参照して、本発明の実施形態について、（１）立体映像視聴システムの構成、（２）映像信号処理装置の構成、（３）映像信号処理装置の動作、（４）映像信号処理方法、（５）実施形態の効果、（６）その他の実施形態の順に説明する。以下の実施形態における図面において、同一又は類似の部分には同一又は類似の符号を付す。
【００１９】
（１）立体映像視聴システムの構成
図１は、本実施形態に係る立体映像視聴システム１の全体構成を示す図である。図１に示すように、立体映像視聴システム１は、映像信号処理装置１００、映像表示装置１０、及びシャッター眼鏡２０を有する。
【００２０】
映像信号処理装置１００は、チューナ装置又はディスク再生装置からの映像入力信号Ｓ＿ＩＮが入力され、映像出力信号Ｓ＿ＯＵＴを映像表示装置に出力する。また、映像信号処理装置１００は、制御信号ＣＴＬをシャッター眼鏡２０に出力する。制御信号ＣＴＬは、立体映像視聴用のシャッター眼鏡２０の左右シャッターの切り替わりを、映像表示装置１０が交互に表示する左右映像の切り替わりと同期させるための信号である。
【００２１】
本実施形態では、映像入力信号Ｓ＿ＩＮは、サイド・バイ・サイドの映像信号である。具体的には、１枚の映像フレームＦ＿ＩＮ内で左眼用映像フレームＦ＿Ｌ及び右眼用映像フレームＦ＿Ｒが左右に並べられている（図３参照）。また、本実施形態では、映像出力信号Ｓ＿ＯＵＴは、アナログテレビジョン放送規格の一つであるＮＴＳＣ規格に従った映像信号である。
【００２２】
映像表示装置１０は、映像信号処理装置１００から、ＮＴＳＣ規格に従った映像出力信号Ｓ＿ＯＵＴが入力され、映像を表示する。本実施形態では、映像表示装置１０は、アナログテレビ（又はアナログディスプレイ）である。すなわち、映像表示装置１０は、インターレース方式に対応しているものの、プログレッシブ方式には対応していない。
【００２３】
シャッター眼鏡２０は、映像信号処理装置１００からの制御信号ＣＴＬが入力される。なお、制御信号ＣＴＬの伝送は、有線であってもよく無線であってもよい。シャッター眼鏡２０は、左眼用シャッター及び右眼用シャッターを具備し、制御信号ＣＴＬに応じて左眼用シャッター及び右眼用シャッターのそれぞれを開閉する。なお、左眼用シャッター及び右眼用シャッターは、例えば液晶シャッターとして構成される。
【００２４】
（２）映像信号処理装置の構成
次に、映像信号処理装置１００の構成を説明する。図２は、映像信号処理装置１００の構成を示すブロック図である。図２に示すように、映像信号処理装置１００は、映像信号入力部１１０、映像信号分離部１２０、左眼映像用フレームバッファ１３０Ｌ、右眼映像用フレームバッファ１３０Ｒ、映像信号変換部１４０、映像信号出力部１４５、及び制御信号出力部１５０を具備する。
【００２５】
映像信号入力部１１０は、映像信号処理装置１００の外部から映像入力信号Ｓ＿ＩＮが入力される。映像信号入力部１１０は、映像入力信号Ｓ＿ＩＮを映像信号分離部１２０に出力する。
【００２６】
映像信号分離部１２０は、映像信号入力部１１０からの映像入力信号Ｓ＿ＩＮが入力される。映像信号分離部１２０は、左眼用映像フレームＦ＿Ｌに対応する左眼用映像信号Ｓ＿Ｌを左眼映像用フレームバッファ１３０Ｌに出力し、右眼用映像フレームＦ＿Ｒに対応する右眼用映像信号Ｓ＿Ｒを右眼映像用フレームバッファ１３０Ｒに出力する。
【００２７】
左眼映像用フレームバッファ１３０Ｌは、映像信号分離部１２０からの左眼用映像信号Ｓ＿Ｌが入力され、左眼用映像信号Ｓ＿Ｌを一時的に記憶する。左眼映像用フレームバッファ１３０Ｌは、左眼用映像信号Ｓ＿Ｌを映像信号出力部１４０に出力する。
【００２８】
右眼映像用フレームバッファ１３０Ｒは、映像信号分離部１２０からの右眼用映像信号Ｓ＿Ｒが入力され、右眼用映像信号Ｓ＿Ｒを一時的に記憶する。右眼映像用フレームバッファ１３０Ｒは、右眼用映像信号Ｓ＿Ｒを映像信号出力部１４０に出力する。
【００２９】
映像信号変換部１４０は、左眼映像用フレームバッファ１３０Ｌからの左眼用映像信号Ｓ＿Ｌと、右眼映像用フレームバッファ１３０Ｒからの右眼用映像信号Ｓ＿Ｒとが入力される。映像信号変換部１４０は、映像出力信号Ｓ＿ＯＵＴを生成して映像信号出力部１４５に出力し、同期信号ＳＹＮを制御信号出力部１５０に出力する。
【００３０】
映像信号出力部１４５は、映像信号変換部１４０から入力された映像出力信号Ｓ＿ＯＵＴを映像表示装置１０に出力する。
【００３１】
制御信号出力部１５０は、映像信号出力部１４０からの同期信号ＳＹＮが入力される。制御信号出力部１５０は、制御信号ＣＴＬをシャッター眼鏡２０に出力する。
【００３２】
（３）映像信号処理装置の動作
次に、映像信号処理装置１００の動作を説明する。図３〜図５は、映像信号処理装置１００の動作を説明するための動作説明図である。なお、図３〜図５において、「０」はトップフィールドを意味し、「１」はボトムフィールドを意味する。
【００３３】
図３に示すように、映像信号入力部１１０は、左眼用映像フレームＦ＿Ｌ及び右眼用映像フレームＦ＿Ｒを並べて構成される映像フレームＦ＿ＩＮに対応する映像入力信号Ｓ＿ＩＮが入力される。
【００３４】
図４に示すように、映像信号分離部１２０は、映像信号入力部１１０により得られた映像入力信号Ｓ＿ＩＮを、左眼用映像フレームＦ＿Ｌに対応する左眼用映像信号Ｓ＿Ｌと、右眼用映像フレームＦ＿Ｒに対応する右眼用映像信号Ｓ＿Ｒとに分離する。また、映像信号分離部１２０は、左眼用映像フレームＦ＿Ｌ及び右眼用映像フレームＦ＿Ｒのそれぞれを水平方向に２倍に拡張するように、左眼用映像信号Ｓ＿Ｌ及び右眼用映像信号Ｓ＿Ｒのそれぞれを処理（例えば補間処理）する。これにより、左眼用映像フレームＦ＿Ｌ及び右眼用映像フレームＦ＿Ｒのそれぞれは、水平方向のサイズが１映像フレーム分確保される。
【００３５】
左眼映像用フレームバッファ１３０Ｌは、水平拡張処理が施された左眼用映像信号Ｓ＿Ｌを記憶する。右眼映像用フレームバッファ１３０Ｒは、水平拡張処理が施された右眼用映像信号Ｓ＿Ｒを記憶する。
【００３６】
映像信号変換部１４０は、左眼用映像信号Ｓ＿Ｌ、及び右眼用映像信号Ｓ＿Ｒのそれぞれを、プログレッシブ方式からインターレース方式に変換した上で合成する。具体的には、図４及び図５に示すように、映像信号変換部１４０は、インターレース方式への変換時に、トップフィールドに対応させて左眼用映像信号Ｓ＿Ｌを変換し、且つ、ボトムフィールドに対応させて右眼用映像信号Ｓ＿Ｒを変換する。
【００３７】
すなわち、映像信号変換部１４０は、図４に示す左眼用映像フレームＦ＿Ｌのトップフィールドのみを抽出するとともに、図４に示す右眼用映像フレームＦ＿Ｒのボトムフィールドのみを抽出する。その結果、左眼用映像フレームＦ＿Ｌのボトムフィールドは破棄され、右眼用映像フレームＦ＿Ｒのトップフィールドは破棄される。このように、左眼用映像フレームＦ＿Ｌ及び右眼用映像フレームＦ＿Ｒのそれぞれは、１／２のライン数になるように間引かれる。
【００３８】
さらに、映像信号変換部１４０は、図５に示す合成後の映像フレームに対応する映像信号を、ＮＴＳＣ規格に従った映像出力信号Ｓ＿ＯＵＴとして出力する。映像出力信号Ｓ＿ＯＵＴは、トップフィールドの開始を示す同期信号ＳＹＮ＿１と、トップフィールドからボトムフィールドへの切り替わりを示す同期信号ＳＹＮ＿２とを含む。これらの同期信号ＳＹＮは、制御信号出力部１５０に入力される。
【００３９】
また、映像出力信号Ｓ＿ＯＵＴは、映像信号出力部１４５に入力される。映像信号出力部１４５は、映像出力信号Ｓ＿ＯＵＴを映像表示装置１０に出力する。
【００４０】
制御信号出力部１５０は、トップフィールド区間及びボトムフィールド区間の切り替わりと同期して、シャッター眼鏡２０を制御するための制御信号ＣＴＬを出力する。具体的には、制御信号出力部１５０は、映像信号変換部１４０からの同期信号ＳＹＮに応じて制御信号ＣＴＬを出力する。
【００４１】
例えば、制御信号出力部１５０は、同期信号ＳＹＮ＿１が入力されるとハイレベルの制御信号ＣＴＬを出力し、同期信号ＳＹＮ＿２が入力されるとロウレベルの制御信号ＣＴＬを出力する。この場合、シャッター眼鏡２０は、ハイレベルの制御信号ＣＴＬが入力されると左眼用シャッターを開くとともに右眼用シャッターを閉じる。また、シャッター眼鏡２０は、ロウレベルの制御信号ＣＴＬが入力されると左眼用シャッターを閉じるとともに右眼用シャッターを開く。
【００４２】
なお、図５に示す合成後の映像フレームに対応する映像出力信号Ｓ＿ＯＵＴが入力された映像表示装置１０は、インターレース方式に従って、トップフィールドを走査し、次いでボトムフィールドを走査する。通常のインターレース方式では、トップフィールド及びボトムフィールドは同一の映像フレームから作成されるが、上述したように、本実施形態では、トップフィールド及びボトムフィールドは異なる映像フレーム（左眼用映像フレームＦ＿Ｌ、及び右眼用映像フレームＦ＿Ｒ）から作成されている。
【００４３】
シャッター眼鏡２０は、トップフィールドが走査されている期間、すなわち左眼用映像が表示されている期間においては、左眼の視野を確保するように動作している。また、シャッター眼鏡２０は、ボトムフィールドが走査されている期間、すなわち右眼用映像が表示されている期間においては、右眼の視野を確保するように動作している。その結果、左眼及び右眼のそれぞれで見る映像のずれ、すなわち「視差」を利用して、擬似的な立体映像を視聴可能にすることができる。
【００４４】
（４）映像信号処理方法
次に、本実施形態に係る映像信号処理方法を説明する。図６は、本実施形態に係る映像信号処理方法を示すフローチャートである。
【００４５】
ステップＳ１０において、映像信号入力部１１０は、Ｎ番目の映像フレームについて、映像入力信号Ｓ＿ＩＮが入力される。
【００４６】
ステップＳ２０において、映像信号分離部１２０は、映像信号入力部１１０により得られた映像入力信号Ｓ＿ＩＮを、左眼用映像フレームＦ＿Ｌに対応する左眼用映像信号Ｓ＿Ｌと、右眼用映像フレームＦ＿Ｒに対応する右眼用映像信号Ｓ＿Ｒとに分離する。
【００４７】
ステップＳ３０において、左眼映像用フレームバッファ１３０Ｌは左眼用映像信号Ｓ＿Ｌを記憶し、右眼映像用フレームバッファ１３０Ｒは右眼用映像信号Ｓ＿Ｒを記憶する。
【００４８】
ステップＳ４０において、映像信号変換部１４０は、トップフィールドに対応させて左眼用映像信号Ｓ＿Ｌを変換し、且つ、ボトムフィールドに対応させて右眼用映像信号Ｓ＿Ｒを変換する。
【００４９】
ステップＳ５０において、映像信号変換部１４０は、変換された左眼用映像信号Ｓ＿Ｌ及び右眼用映像信号Ｓ＿Ｒのそれぞれを合成する。
【００５０】
ステップＳ６０において、映像信号変換部１４０は、合成後の映像フレームに対応する映像信号を、ＮＴＳＣ規格に従った映像出力信号Ｓ＿ＯＵＴとして出力し、映像信号出力部１４５は、当該映像出力信号Ｓ＿ＯＵＴを映像表示装置１０に出力する。また、制御信号出力部１５０は、トップフィールド区間及びボトムフィールド区間の切り替わりと同期して、シャッター眼鏡２０を制御するための制御信号ＣＴＬを出力する。
【００５１】
ステップＳ７０において、Ｎの値に１が加算された後、処理がステップＳ１０に戻り、次の映像入力信号Ｓ＿ＩＮに対する映像信号処理が開始される。
【００５２】
（５）実施形態の効果
以上説明したように、本実施形態によれば、映像表示装置１０とは別体の映像信号処理装置１００において、映像入力信号Ｓ＿ＩＮを、左眼用映像フレームＦ＿Ｌに対応する左眼用映像信号Ｓ＿Ｌと、右眼用映像フレームＦ＿Ｒに対応する右眼用映像信号Ｓ＿Ｒとに分離する。さらに、映像信号処理装置１００は、左眼用映像信号Ｓ＿Ｌ及び右眼用映像信号Ｓ＿Ｒのそれぞれを、プログレッシブ方式からインターレース方式に変換して出力する。これにより、アナログテレビ等の既存の映像表示装置１０を用いて立体映像を視聴可能になる。
【００５３】
また、本実施形態では、映像信号変換部１４０は、映像信号分離部１２０により得られた左眼用映像信号Ｓ＿Ｌ及び右眼用映像信号Ｓ＿Ｒのそれぞれをインターレース方式に変換した上で合成し、ＮＴＳＣ規格に従った映像出力信号として出力する。これにより、既存のアナログテレビを用いて立体映像を視聴可能になる。
【００５４】
本実施形態では、映像信号処理装置１００は、トップフィールド区間及びボトムフィールド区間の切り替わりと同期して、シャッター眼鏡２０を制御するための制御信号ＣＴＬを出力する制御信号出力部１５０を具備する。これにより、映像信号処理装置１００からシャッター眼鏡を制御するための制御信号ＣＴＬを出力可能になるため、映像信号処理装置１００における左眼用映像及び右眼用映像の切り替わりとシャッター眼鏡２０の切り替わりとを同期させることができる。
【００５５】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００５６】
（６．１）変更例１
例えば、デジタルテレビ放送波を受信可能なチューナ装置を本発明に係る映像信号処理装置としてもよい。図７は、本変更例に係る映像信号処理装置１００の構成を示すブロック図である。図７に示すように、本変更例に係る映像信号処理装置１００は、放送波受信部１６０をさらに具備する。放送波受信部１６０は、アンテナ１０１からのデジタルテレビ放送波が入力される。放送波受信部１６０は、デジタルテレビ放送波を復調（及び復号）し、映像入力信号Ｓ＿ＩＮを出力する。映像信号入力部１１０は、放送波受信部１６０からの映像入力信号Ｓ＿ＩＮが入力される。その他の構成は上述した実施形態と同様である。本変更例によれば、デジタルテレビ放送波を受信可能な映像信号処理装置１００（すなわち、チューナ装置）を提供できる。
【００５７】
さらに、放送波受信部１６０に代えて、光ディスクを再生するディスク再生部を具備してもよい。ディスク再生部は、光ディスクに記録されたコンテンツを再生し、映像入力信号Ｓ＿ＩＮを出力する。映像信号入力部１１０は、ディスク再生部からの映像入力信号Ｓ＿ＩＮが入力される。その他の構成は上述した実施形態と同様である。このような構成によれば、光ディスクを再生可能な映像信号処理装置１００（すなわち、光ディスク装置）を提供できる。
【００５８】
（６．２）変更例２
上述した実施形態においては、映像信号分離部１２０が、左眼用映像フレームＦ＿Ｌ及び右眼用映像フレームＦ＿Ｒのそれぞれを水平方向に２倍に拡張するように、左眼用映像信号Ｓ＿Ｌ及び右眼用映像信号Ｓ＿Ｒのそれぞれを処理（例えば補間処理）していた。しかしながら、このような水平拡張処理は、必ずしも映像信号分離部１２０が行う必要はない。例えば、映像信号変換部１４０が、左眼用映像信号Ｓ＿Ｌ及び右眼用映像信号Ｓ＿Ｒを合成する際に水平拡張処理を行ってもよい。
【００５９】
この場合、映像信号変換部１４０は、水平拡張処理が施されていない左眼用映像信号Ｓ＿Ｌ、及び水平拡張処理が施されていない右眼用映像信号Ｓ＿Ｒのそれぞれを、プログレッシブ方式からインターレース方式に変換した上で合成する。そして、映像信号変換部１４０は、合成後の映像フレームに対応する映像信号に対して水平拡張処理を施し、ＮＴＳＣ規格に従った映像出力信号Ｓ＿ＯＵＴとして出力する。
【００６０】
（６．３）変更例３
上述した実施形態では、映像出力信号Ｓ＿ＯＵＴは、アナログテレビジョン放送規格の一つであるＮＴＳＣ規格に従った映像信号であると説明した。しかしながら、ＮＴＳＣ規格に限らず、ＰＡＬ等の他のアナログテレビジョン放送規格に従った映像信号であってもよい。
【００６１】
（６．４）変更例４
上述した実施形態では、映像表示装置１０の一例として、インターレース方式のテレビジョン受像機又はディスプレイを説明したが、テレビジョン受像機又はディスプレイに限らず、映像表示装置１０がプロジェクタであってもよい。また、映像表示装置１０が、インターレース方式及びプログレッシブ方式の両方式に対応したものであってもよい。
【００６２】
（６．５）変更例５
上述した実施形態では、視聴者側において、アクティブシャッター方式の眼鏡（シャッター眼鏡２０）が使用されるケースを説明したが、偏光方式等の他の方式が採用されてもよい。
【００６３】
（６．６）変更例６
上述した実施形態では、サイド・バイ・サイドの映像入力信号Ｓ＿ＩＮが映像信号処理装置１００に入力されるケースを説明したが、トップ・アンド・ボトムの映像入力信号Ｓ＿ＩＮが映像信号処理装置１００に入力されてもよい。
【００６４】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００６５】
ＣＴＬ…制御信号、Ｆ＿ＩＮ…映像フレーム、Ｆ＿Ｌ…左眼用映像フレーム、Ｆ＿Ｒ…右眼用映像フレーム、ＳＹＮ…同期信号、Ｓ＿ＩＮ…映像入力信号、Ｓ＿Ｌ…左眼用映像信号、Ｓ＿Ｒ…右眼用映像信号、Ｓ＿ＯＵＴ…映像出力信号、１…立体映像視聴システム、１０…映像表示装置、２０…シャッター眼鏡、１００…映像信号処理装置、１０１…アンテナ、１１０…映像信号入力部、１２０…映像信号分離部、１３０Ｌ…左眼映像用フレームバッファ、１３０Ｒ…右眼映像用フレームバッファ、１４０…映像信号変換部、１４５…映像信号出力部、１５０…制御信号出力部、１６０…放送波受信部
【図１】
2012100028.tif 000003
【図２】
2012100028.tif 000004
【図３】
2012100028.tif 000005
【図４】
2012100028.tif 000006
【図５】
2012100028.tif 000007
【図６】
2012100028.tif 000008
【図７】
2012100028.tif 000009